(57)【要約】【課題】  チャイルドレジスタンスの強化を図ることを課題とする。【解決手段】  弾性片２４の自由端側を半径方向内方に押圧して、キャップ３０の内周面に設けられた第１爪部３２と弾性片２４の基端側にある第２爪部３４との係合状態を解除すると、キャップ３０の回動が可能となる。  このように、弾性片２４の自由端側を押圧し、弾性片２４の基端側にある第２爪部３４の係合を解除するので、弾性片の自由端側を押圧し、弾性片の自由端側にある爪部の係合を解除する場合よりも、爪部の係合状態を解除するのに大きな力を必要とするため、チャイルドレジスタンスの強化を図ることができる。【選択図】  図２
2006076592.tif 000002
【特許請求の範囲】
【請求項１】
容器の口部に嵌合される嵌合体と、前記嵌合体の外周に螺合されるキャップと、を有するキャップ具において、
前記嵌合体に形成され、半径方向に弾性変形する弾性片と、
前記キャップの内周面に設けられた第１爪部と、
前記弾性片の基端側の外周面に設けられ、自由状態では前記第１爪部と係合して前記キャップの回動を阻止し、前記弾性片の自由端側を半径方向内方に押圧することにより、前記第１爪部との係合状態が解除され、前記キャップの回動が許容される第２爪部と、
を備えたことを特徴とするキャップ具。
【請求項２】
前記弾性片は、前記嵌合体の下端から形成された割溝によって片持状にされていることを特徴とする請求項１に記載のキャップ具。
【請求項３】
容器の口部に嵌合され、外周にキャップが螺合する嵌合体において、
半径方向に弾性変形する弾性片と、
前記弾性片の基端側の外周面に設けられ、自由状態では前記キャップの内周面に設けられた第１爪部と係合して前記キャップの回動を阻止し、前記弾性片の自由端側を半径方向内方に押圧することにより、前記第１爪部との係合状態が解除され、前記キャップの回動が許容される第２爪部と、
を備えたことを特徴とする嵌合体。
【発明の詳細な説明】
【技術分野】
【０００１】
本発明は、チャイルドレジスタンス型（幼児抵抗型）のキャップ具及びそのキャップ具に用いられる嵌合体に関する。
【背景技術】
【０００２】
チャイルドレジスタンス型のキャップ具及びそのキャップ具に用いられる嵌合体としては、以下のキャップ付き容器が公知である（特許文献１参照）。
【０００３】
公知のキャップ付き容器では、操作筒を容器体の外周に嵌合し、この操作筒に内方へ弾性変形する弾性板を設け、この弾性板の自由端側の外周に第１鋸状歯を設けている。また、操作筒に装着されるキャップの内周面に、第１鋸状歯と係合する第２鋸状歯を設けている。
【０００４】
このキャップ付き容器によれば、弾性板の自由端側を内方に押圧し、第１鋸状歯と第２鋸状歯との係合を解除することで初めて、キャップを開方向に回動できるようになっている。
【特許文献１】特開平１１−２０８６９１号公報
【発明の開示】
【発明が解決しようとする課題】
【０００５】
しかしながら、このキャップ付き容器では、第２鋸状歯と係合する第１鋸状歯は、弾性板の自由端側に設けられているため、弱い力で係合が解除されてしまうおそれがある。
【０００６】
本発明は、上記事実を考慮し、チャイルドレジスタンスの強化を図ったキャップ具及びそのキャップ具に用いられる嵌合体を提供することを目的とする。
【課題を解決するための手段】
【０００７】
本発明の請求項１に係るキャップ具は、容器の口部に嵌合される嵌合体と、前記嵌合体の外周に螺合されるキャップと、を有するキャップ具において、前記嵌合体に形成され、半径方向に弾性変形する弾性片と、前記キャップの内周面に設けられた第１爪部と、前記弾性片の基端側の外周面に設けられ、自由状態では前記第１爪部と係合して前記キャップの回動を阻止し、前記弾性片の自由端側を半径方向内方に押圧することにより、前記第１爪部との係合状態が解除され、前記キャップの回動が許容される第２爪部と、を備えたことを特徴とする。
【０００８】
上記構成によれば、嵌合体に形成された弾性片を押圧しない自由状態では、キャップの内周面に設けられた第１爪部と、弾性片の基端側の外周に設けられた第２爪部とが係合し、キャップの回動が阻止される。
【０００９】
そして、弾性片の自由端側を半径方向内方に押圧して、第１爪部と第２爪部との係合状態を解除すれば、キャップの回動ができるようになる。キャップを回動してキャップをとれば、容器内の液体を注ぐことができる。
【００１０】
このように、弾性片の自由端側を押圧し、弾性片の基端側にある第２爪部の係合を解除するので、弾性片の自由端側を押圧し、弾性片の自由端側にある爪部の係合を解除する場合よりも、爪部の係合状態を解除するのに大きな力を必要とする。このため、本発明の請求項１に係るキャップ具によれば、チャイルドレジスタンスの強化を図ることができる。
【００１１】
本発明の請求項２に係るキャップ具は、請求項１の構成において、前記弾性片は、前記嵌合体の下端から形成された割溝によって片持状にされていることを特徴とする。
【００１２】
このキャップ具では、弾性片が嵌合体の下端から形成された割溝によって片持状にされているので、嵌合体に弾性片を形成するのが容易となる。
【００１３】
本発明の請求項３に係る嵌合体は、容器の口部に嵌合され、外周にキャップが螺合する嵌合体において、半径方向に弾性変形する弾性片と、前記弾性片の基端側の外周面に設けられ、自由状態では前記キャップの内周面に設けられた第１爪部と係合して前記キャップの回動を阻止し、前記弾性片の自由端側を半径方向内方に押圧することにより、前記第１爪部との係合状態が解除され、前記キャップの回動が許容される第２爪部と、を備えたことを特徴とする嵌合体。
【発明の効果】
【００１４】
本発明は、上記構成としたので、チャイルドレジスタンスの強化を図ることができる。
【発明を実施するための最良の形態】
【００１５】
本発明のキャップ具に係る一の実施の形態を図１〜図４に基づき説明する。
【００１６】
図１、２に示すように、キャップ具１０は、容器１２の口部１４の外周に嵌合される嵌合体１６を備えている。この嵌合体１６は、口部１４に嵌合されると、口部１４に設けられた係止リブ１８に溝１７が係止されて、軸方向の移動を阻止される。また、図３に示すように、口部１４の基部には、平面視にて略小判形状の係止部２０が形成されている。この係止部２０の外周部に形成された平坦部２０Ａに、嵌合体１６の内周部に形成された平面部１６Ａが面接することにより、嵌合部１６の軸線周りの回動が阻止される。また、図１、２に示すように、嵌合体１６は、その中央部から上方に延びる筒状の注ぎ口２２を備え、この注ぎ口２２から、容器１２に入っている液体を注ぐことが可能となっている。
【００１７】
なお、注ぎ口２２は、嵌合体１６の中央部から上方に延びる筒状に形成されたものに限られず、例えば、図４（Ａ）に示すように、口部１４の開放端を塞ぐ面状とされ、その中央部に孔４０が形成されたようなものでも構わない。
【００１８】
また、注ぎ口２２は、嵌合体１６に備えられている場合に限られず、図４（Ｂ）に示すように、容器の口部１４自体が注ぎ口となっていても構わない。
【００１９】
また、嵌合体１６には、下端から形成された二つの割溝２６によって、片持状にされ、半径方向に弾性変形する一対の弾性片２４が対向して設けられている。この弾性片２４は、対向する位置に一対設けられているので、両側から挟んで半径方向内方へ押圧することができるようになっている。
【００２０】
また、嵌合体１６の外周には、雄ネジ部２８が設けられ、この雄ネジ部２８に、注ぎ口２２を開閉するキャップ３０が、キャップ３０に設けられた雌ネジ部２９によって螺合される。
【００２１】
このキャップ３０の内周面には、図３に示すように、全周にわたって、第１爪部３２が設けられている。一方、嵌合体１６の弾性片２４の外周面の基端側には、第１爪部３２と係合する第２爪部３４が、３つ形成されている。
【００２２】
第１爪部３２の断面は、図３に示すように、略直角三角形状をし、この直角三角形の斜辺をなす傾斜面３２Ａは、キャップ３０の閉方向（Ａ方向）に対して傾斜して、キャップ３０の閉方向を向いている。また、この直角三角形の高さ辺をなす垂直面３２Ｂは、キャップ３０の開方向（Ｂ方向）に対して垂直に、キャップ３０の開方向を向いている。
【００２３】
第２爪部３４の断面も、図３に示すように、略直角三角形状をし、この直角三角形の斜辺をなす傾斜面３４Ａは、第１爪部３２の傾斜面３２Ａに、キャップ３０の閉方向に対して傾斜して当接するようになっている。この直角三角形の高さ辺をなす垂直面３４Ｂは、第１爪部３２の垂直面３２Ｂに、キャップの開方向に対して垂直に当接するようになっている。
【００２４】
傾斜面３２Ａと傾斜面３４Ａとは、キャップ３０の閉方向に対して傾斜して当接するため、傾斜面３２Ａが傾斜面３４Ａに当接しつつ、キャップ３０は閉方向に回動できる。一方、垂直面３２Ｂと垂直面３４Ｂとは、キャップ３０の開方向に対して垂直に当接するため、弾性片２４を半径方向内方に押圧しない自由状態では、キャップは開方向には回動できない（図２（Ａ）参照）。すなわち、このキャップ具１０では、キャップ３０を閉方向の一方に回動でき、自由状態では開方向には回動できないラチェット機構を利用している。
【００２５】
そして、一対の弾性片２４を両側から半径方向内方へ押圧すると、垂直面３２Ｂと垂直面３４Ｂとが当接しない位置まで、弾性片２４が弾性変形するようになっている。すなわち、弾性片２４を両側から半径方向内方へ押圧することにより、第１爪部３２と第２爪部３４との係合状態が解除され、キャップ３０を開方向へ回動できるようになっている（図２（Ｂ）参照）。
【００２６】
次に、上記の実施の形態について作用を説明する。
【００２７】
キャップ３０を閉方向に回動させ、一旦、キャップ３０を閉めると、嵌合体１６に形成された弾性片２４を押圧しない自由状態では、キャップ３０の内周面に設けられた第１爪部３２と、弾性片２４の基端側の外周に設けられた第２爪部３４とが係合し、キャップ３０の開方向への回動が阻止される（図２（Ａ）参照）。
【００２８】
そして、一対の弾性片２４の自由端側を両側から半径方向内方に押圧して、第１爪部３２と第２爪部３４との係合状態を解除すれば、キャップ３０の開方向に回動ができる（図２（Ｂ）参照）。キャップを開方向に回動してキャップをとれば、注ぎ口２２から容器内の液体を注ぐことができる。
【００２９】
このように、弾性片２４の自由端側を押圧し、弾性片２４の基端側にある第２爪部３４の係合を解除するので、弾性片の自由端側を押圧し、弾性片の自由端側にある爪部の係合を解除する場合よりも、爪部の係合状態を解除するのに大きな力を必要とする。このため本実施の形態のキャップ具１０によれば、チャイルドレジスタンスの強化を図ることができる。
【００３０】
本発明は、上記の実施の形態に限るものではなく、種々の形態が可能である。
【００３１】
例えば、弾性片２４は、嵌合体の下端から形成された割溝によって片持状とされているものに限られず、この部分を薄肉として半径方向に弾性変形するようにしても構わない。
【図面の簡単な説明】
【００３２】
【図１】図１は、本発明の一の実施形態に係るキャップ具の斜視図である。
【図２】図２は、本実施形態に係るキャップ具の側面断面図である。
【図３】図３は、本実施形態に係るキャップ具の上面断面図である。
【図４】図４は、本実施形態に係るキャップ具の変形例を示す図である。
【符号の説明】
【００３３】
１０  キャップ具
１２  容器
１４  口部
１６  嵌合体
２４  弾性片
２６  割溝
３０  キャップ
３２  第１爪部
３４  第２爪部
【図１】
2006076592.tif 000003
【図２】
2006076592.tif 000004
【図３】
2006076592.tif 000005
【図４】
2006076592.tif 000006